(57)【要約】【課題】  網戸枠１の取付金具１２を、該網戸枠１の長手方向に沿う取付枠９の任意位置に固定できるようにし、それによって網戸枠の取付け用ねじ１３の螺挿位置を任意に選定可能とし、サッシに網戸枠を固定する場合には、その取付け用ねじを該サッシを建物開口部枠に固定するねじと共用できるようにする。【解決手段】  網戸枠１の枠材２における側壁１０に、該枠材の長手方向に沿って延び、網戸枠の内側に向かって突出する係止縁１１を設け、上記枠材を取付枠９に取付ける取付金具１２には、枠材の一側面に沿って伸びる金具本体１２ａの一端に上記係止縁の任意位置に係合可能な係合鈎部１２ｂを備え、他端に上記取付枠にねじ１３で固定するねじ固定部１２ｃが形成される。【選択図】        図１
2006132237.tif 000002
【特許請求の範囲】
【請求項１】
網戸枠の縦及び／または横の枠材における側壁に、該枠材の長手方向に沿って延び、網戸枠の内側に向かって突出する係止縁を設け、
上記枠材を取付枠に取付ける取付金具は、枠材の一側面に沿って伸びる金具本体の一端に上記係止縁の任意位置に係合可能な係合鈎部を備え、他端に上記取付枠にねじで固定するねじ固定部が形成されている、
ことを特徴とする網戸枠の取付構造。
【請求項２】
枠材の長手方向に沿う係止縁を、枠材側面に沿って設けたスリットの下縁により形成し、取付金具の一端の係合鈎部を、上記スリットを通して離脱不能に形成した、
ことを特徴とする請求項１に記載の網戸枠の取付構造。
【請求項３】
上記取付枠をサッシによって形成し、上記サッシに網戸枠の枠材を固定する取付け用ねじを、上記サッシを建物開口部枠に固定するねじと共用した、
ことを特徴とする請求項１または２に記載の網戸枠の取付構造。
【請求項４】
上記取付金具における金具本体とその一端の係合鈎部及び他端のねじ固定部とを、一枚の帯状金属板の折曲により形成した、
ことを特徴とする請求項１ないし３のいずれかに記載の網戸枠の取付構造。
【発明の詳細な説明】
【技術分野】
【０００１】
本発明は、建物開口部の取付枠に対する網戸枠の取付けを簡単にすると共に、その取付け用ねじの位置を任意に選択できるようにした網戸枠の取付構造に関するものである。
【背景技術】
【０００２】
従来から、網戸枠を建物開口部における取付枠に固定する場合、その網戸枠の縦横の枠材を通して取付け用ねじを螺挿することにより直接的に上記取付枠に固定するなどの手段が一般的に採用されている（例えば、特許文献１参照）。
しかしながら、網戸は、その設置のための現場作業を少なくするために、工場でできるだけ組み立てておくことが多く、縦横の枠材に各種網戸の構成部材を組み付けている場合には、このような従来の網戸枠の取付構造では、枠材の取付作業が面倒になる。
【０００３】
また、上述したように、ある程度組み立てを行った網戸では、縦横の枠材の取付け用ねじで取り付ける位置が決まっていることが多く、その場合に、建物開口部の取付枠における上記取付け用ねじの螺挿位置に何らかの金具やねじの螺挿の障害になる部材等があったときには、上記ねじによる取付けが困難になる。
更に、通常、網戸を取付ける取付枠は化粧材によって形成されていることが多く、それに枠材を取付けるためのねじ孔を開設することは、後日網戸を取外した際にねじ孔が残ることから一般に嫌われ、特に上記建物開口部の取付枠がサッシである場合には、水の浸入を防止するなどの観点から、ねじ孔を開けないで網戸枠を固定するという対応策を要求されることが少なくない。
【０００４】
【特許文献１】特開２００３−２２１９９０号公報
【発明の開示】
【発明が解決しようとする課題】
【０００５】
本発明の技術的課題は、縦横の枠材に各種網戸の構成部材が工場生産により予め組み付けられていても、それらの枠材を容易に取付枠に固定できるようにした網戸枠の取付構造を提供することにある。
本発明の他の技術的課題は、網戸枠の取付金具を、該網戸枠の長手方向に沿う取付枠の任意位置に固定できるようにし、それによって網戸枠の取付け用ねじの螺挿位置を任意に選定できるようにした網戸枠の取付構造を提供することにある。
本発明の他の技術的課題は、サッシに網戸枠の枠材を固定する場合に、その取付け用ねじを、該サッシを建物開口部枠に固定するねじと共用できるようにし、網戸枠の枠材固定のためのねじ孔の開設を不要にした網戸枠の取付構造を提供することにある。
【課題を解決するための手段】
【０００６】
上記課題を解決するための本発明の網戸枠の取付構造は、網戸枠の縦及び／または横の枠材における側壁に、該枠材の長手方向に沿って延び、網戸枠の内側に向かって突出する係止縁を設け、上記枠材を取付枠に取付ける取付金具は、枠材の一側面に沿って伸びる金具本体の一端に上記係止縁の任意位置に係合可能な係合鈎部を備え、他端に上記取付枠にねじで固定するねじ固定部が形成されていることを特徴とするものである。
上記取付構造においては、枠材の長手方向に沿う係止縁を、枠材側面に沿って設けたスリットの下縁により形成し、取付金具の一端の係合鈎部を、上記スリットを通して離脱不能に形成することもできる。
【０００７】
本発明の好ましい実施の形態においては、上記取付枠をサッシによって形成し、上記サッシに網戸枠の枠材を固定する取付け用ねじを、上記サッシを建物開口部枠に固定するねじと共用される。
また、本発明の他の好ましい実施の形態においては、上記取付金具における金具本体とその一端の係合鈎部及び他端のねじ固定部とが、一枚の帯状金属板の折曲により形成される。
【０００８】
上記構成を有する網戸枠の取付構造においては、網戸枠の枠材における側壁に、該枠材の長手方向に沿って延び、網戸枠の内側に向かって突出する係止縁を設け、取付金具の係合鈎部をその係止縁の任意位置に係合させて、そのねじ固定部を取付枠にねじで固定するようにしているので、枠材に網戸の構成部材が組み付けられていてもその枠材を容易に固定できるばかりでなく、取付枠の任意位置を選定して枠材を固定することができる。この場合に、枠材の長手方向に沿う係止縁を枠材側面に沿って設けたスリットの下縁により形成し、取付金具の係合鈎部を該スリットを通して離脱不能に形成しておけば、取付金具の散逸を防止することができる。
また、上記取付枠をサッシ等によって形成されていて、それに枠材の固定のためのねじ孔を開設することが嫌われる場合には、上記枠材を固定するための取付け用ねじを、サッシを建物開口部枠に固定しているねじと共用することにより、別途ねじ孔を開設する必要がなくなる。
【発明の効果】
【０００９】
以上に詳述したように、本発明の網戸枠の取付構造によれば、網戸枠の枠材に取付金具の係合鈎部を係合させて該枠材を固定するようにしているので、枠材に各種網戸の構成部材が工場生産により予め組み付けられていても、それらの枠材を容易に取付枠に固定することができ、また、網戸枠の取付金具を、該網戸枠の長手方向に沿う取付枠の任意位置に固定できるようにしているので、網戸枠の取付け用ねじの螺挿位置を任意に選定し、不都合な取付位置を避けることができる。更に、取付枠を構成するサッシに網戸枠の枠材を固定する場合に、その取付け用ねじを、該サッシを建物開口部枠に固定するねじと共用できるようにしているので、網戸枠の枠材固定のためのねじ孔の開設が不要になる。
【発明を実施するための最良の形態】
【００１０】
図１及び図２は、本発明に係る網戸枠１における下部の横枠材２の取付構造の実施例を示している。この網戸枠１を備える網戸は、全体的な図示を省略しているが、四周に網戸枠１を構成する縦枠材及び横枠材を備え、それらを建物開口部の取付枠９に固定して設置するもので、その網戸枠１における一方の縦枠材を、防虫ネット５を巻き取る巻取り軸を回転可能に収容した巻取りボックスにより構成し、その防虫ネット５の先端に取り付けた操作框が、ネット５の張設時に、網戸枠１における他方の縦枠材３（図４）を受け枠として保持されるようにしている。上記巻取り軸は、それに内蔵したスプリングの付勢力で上記ネット５を巻き取るようにしたものである。
【００１１】
上記横枠材２は、その断面形状が大略Ｕ字状をなし、その内部には、防虫ネット５の下端を保持してその摺動をガイドするため、該ネット５の下端に沿って設けたファスナー半体によって形成される係合部材５ａが係合するインナーレール４を、該枠材２の内側壁の突条２ａに係合させて遊動自在に収容している。このインナーレール４は、摺動性においてすぐれた合成樹脂により形成され、上記係合部材５ａが係合して抜脱しないように形成したスリット４ａを有するものである。
なお、上部の横枠材は図示を省略しているが、その横枠材にも同様なインナーレールが設けられ、ネット５の上端を保持してガイドするようにしている。
【００１２】
上記横枠材２における一方の側壁１０には、該枠材２の長手方向に沿って延び、且つ網戸枠１の内側に向かって突出する係止縁１１を設けている。この係止縁１１は、上記枠材２を取付金具１２によって建物開口部の取付枠９に取付けるためのものである。
上記取付金具１２は、枠材２の一側面に沿って伸びる金具本体１２ａの一端に上記係止縁１１の任意位置に係合可能な係合鈎部１２ｂを備え、他端に上記取付枠９にねじ１３で固定するねじ固定部１２ｃが形成されたもので、上記金具本体１２ａとその一端の係合鈎部１２ｂ及び他端のねじ固定部１２ｃとが、一枚の帯状金属板の折曲により形成されている。上記ねじ固定部１２ｃにおけるねじ１３を挿入するための孔１２ｄは、枠材２の取付け面内において該枠材２の長手方向に対して直交する方向に長い長孔としておくのが、取付枠９に対するねじの螺挿位置を調整するために有利である。
【００１３】
上記構成を有する網戸枠の取付構造においては、網戸枠１の横枠材２における側壁１０に該枠材２の長手方向に沿う係止縁１１を突設し、取付金具１２の係合鈎部１２ｂをその係止縁１１の任意位置に係合させて、そのねじ固定部１２ｃを取付枠９にねじ１３で固定するようにしているので、枠材２に網戸の構成部材が組み付けられていても、その枠材２を容易に固定できるばかりでなく、取付枠９の適切な位置を選定して枠材２を固定することができる。
【００１４】
また、上記取付枠９は、通常、各種化粧材、あるいはアルミニウム製のサッシによって形成されるが、それらに枠材２の固定のためのねじ孔を開設するのが望ましくない場合には、上記枠材２を固定する取付金具１２を係止縁１１に沿って隅部等の適切な位置に移動させて固定し、また、取付枠９がサッシである場合には、該取付金具１２の取付け用ねじ１３を、該サッシを建物開口部枠に固定するねじと共用し、具体的には、建物開口部枠にサッシを固定しているねじを一旦取外して、取付金具１２の固定部１２ｃをサッシと共に再度建物開口部枠に固定すればよい。従って、この場合には、網戸枠１の固定のためにサッシにねじ孔を開設する必要はなくなる。
【００１５】
図３は、上記網戸枠１の取付構造の他の実施例を示している。上記図１及び図２の実施例の横枠材２では、枠材２における側壁１０に設けている係止縁１１の上方を、取付金具１２の係合鈎部１２ｂが該係止縁１１に外側から係脱できる程度に開放しているため、任意位置で取付金具１２を係止縁１１に係止させて枠材２を固定できるが、図３の実施例では、下部横枠材２２の長手方向に沿う係止縁２５を、枠材２２の側壁２３に沿って設けたスリット２４の下縁により形成し、取付金具１２の一端の係合鈎部１２ｂを、上記スリット２４を通して離脱不能に形成して、係止縁２５に係合させている。
【００１６】
この場合には、網戸枠１の組立に際して予めスリット２４の一端から取付金具１２の係合鈎部１２ｂを係合させておくことになるが、取付金具１２がスリット２４を通して離脱不能であるため、網戸枠１の設置作業に際して取付金具１２の散逸を防止することができる。
上記図３に示した実施例のその他の構成及び作用は、実質的に図１及び図２で説明した場合と同一であるため、主要な同一または相当部分に同一符号を付してそれらの説明を省略する。また、ここでは下部の横枠材２，２２について説明したが、上部の横枠材についても同様に構成することができる。
【００１７】
図４は、前記受け枠を構成する縦枠材３を取付枠９に固定する態様を示すもので、該縦枠材３における側壁３１の先端に、該枠材３の長手方向に沿って延び、網戸枠１の内側に向かって突出する係止縁３２を設け、上述した取付金具１２における係合鈎部１２ｂをその係止縁３２の任意位置に係合させて、該縦枠材３を上記取付枠９にねじ１３で固定するようにしている。
他方の縦枠材を構成する巻取りボックスについても、同様にして取付金具で固定することができる。
【００１８】
なお、これらの縦枠材の取付構造におけるその他の構成及び作用は、前記図１及び図２の実施例に関連して説明したところと同様であるから、それらについての説明は省略する。また、これらの縦枠材についても図３に示したような構造の係止縁を設けることができる。
【図面の簡単な説明】
【００１９】
【図１】本発明を網戸枠の横枠材に適用した実施例の要部断面図である。
【図２】同実施例の要部斜視図である。
【図３】本発明の他の実施例の要部断面図である。
【図４】本発明を網戸枠の縦枠材に適用した実施例の要部斜視図である。
【符号の説明】
【００２０】
１      網戸枠
２，２２    横枠材
３      縦枠材
９      取付枠
１０，２３，３１    側壁
１１，２５，３２    係止縁
１２取付金具
１２ａ    金具本体
１２ｂ    係合鈎部
１３      ねじ
１２ｃ    ねじ固定部
２４      スリット
【図１】
2006132237.tif 000003
【図２】
2006132237.tif 000004
【図３】
2006132237.tif 000005
【図４】
2006132237.tif 000006